(57)【要約】【課題】高信頼性の表示駆動動作が可能な表示駆動回路を提供する。また、入力表示データが低振幅のインターフェース信号でも、表示駆動動作の動作信頼性を改善する。【解決手段】画像表示制御駆動装置２１０は、外部表示装置２２０を駆動する表示駆動部２１４を含む。駆動装置は、所定の拡大率のリサイズスケールレシオに従って表示装置２２０を駆動するリサイズ動作モードと非拡大のノーマルレシオのノーマル動作モードとを有する。ノーマル動作モードからリサイズ動作モードへの変更は、外部からの特定の命令のみにより行う。システムインターフェース２１１は、所定の振幅の第１インターフェース２１１１、低振幅の第２インターフェース２１１２を含む。ノーマル動作モードからリサイズ動作モードへの駆動モードの変更は、外部から第１インターフェース２１１１に供給される所定の振幅を有する特定の命令により行われる。【選択図】図２
2008185774.tif 000002
【特許請求の範囲】
【請求項１】
システムインターフェースと、表示制御部と、メモリと、表示駆動部とを含み、
前記システムインターフェースは、外部から供給される命令と表示データとを受信するように構成され、
前記表示制御部は前記外部からの前記表示データを前記メモリに書き込み、前記メモリに格納された前記表示データを前記表示駆動部に供給することにより、前記表示駆動部は外部表示装置の水平方向と垂直方向とに配列された複数の画素を駆動するものであり、
前記外部表示装置の駆動モードは、少なくともノーマル動作モードとリサイズ動作モードとを有し、
前記ノーマル動作モードでは、前記表示駆動部は、非拡大のノーマルレシオに従って前記外部表示装置の前記複数の画素を駆動して、
前記リサイズ動作モードでは、前記表示駆動部は、所定の拡大率のリサイズスケールレシオに従って前記外部表示装置の前記複数の画素を駆動して、
前記リサイズ動作モードで前記外部表示装置の前記水平方向と前記垂直方向との両方方向で拡大が指示された場合に、前記外部から前記メモリへの書き込み動作で前記表示データの前記両方方向での拡大を行うことはなく、その代わり前記メモリに格納された前記表示データを前記表示駆動部に供給する際に、前記表示データの前記両方方向での拡大を行うものであり、
前記ノーマル動作モードから前記リサイズ動作モードへの駆動モードの変更は、外部装置から前記システムインターフェースに供給される特定の命令のみにより行われるものである画像表示制御駆動装置。
【請求項２】
前記特定の命令は、前記リサイズ動作モードでの前記外部表示装置の前記水平方向の水平スケールレシオと前記外部表示装置の前記垂直方向の垂直スケールレシオとを示すビット情報を含む請求項１に記載の画像表示制御駆動装置。
【請求項３】
前記表示制御部は、前記外部からの前記命令を格納する命令レジスタと、前記命令に関係する制御情報を格納するコントロールレジスタとを含む請求項１に記載の画像表示制御駆動装置。
【請求項４】
前記特定の命令により前記リサイズ動作モードが指示された場合に、前記外部から前記メモリへの前記表示データの前記書き込み動作のために、前記メモリのアドレス空間の内部の矩形の書き込みアドレス範囲が設定され、
前記矩形の書き込みアドレス範囲は、外部からの水平開始アドレス設定命令と水平終了アドレス設定命令と垂直開始アドレス設定命令と垂直終了アドレス設定命令とにより設定され、
前記水平開始アドレス設定命令は前記矩形の書き込みアドレス範囲の水平開始アドレスを設定して、前記水平終了アドレス設定命令は前記矩形の書き込みアドレス範囲の水平終了アドレスを設定して、前記垂直開始アドレス設定命令は前記矩形の書き込みアドレス範囲の垂直開始アドレスを設定して、前記垂直終了アドレス設定命令は前記矩形の書き込みアドレス範囲の垂直終了アドレスを設定して、
前記表示制御部は、前記メモリの前記アドレス空間の内部に設定された前記矩形の書き込みアドレス範囲に前記表示データを書き込み、
その後、前記表示制御部は前記メモリの前記アドレス空間の内部に設定された前記矩形の書き込みアドレス範囲から前記表示データを読み出し、読み出した前記表示データの前記両方方向の拡大を行うものであり、前記両方方向の拡大された前記表示データを前記表示駆動部に供給するものである請求項３に記載の画像表示制御駆動装置。
【請求項５】
前記特定の命令により前記リサイズ動作モードが指示された場合に、前記特定の命令に関係した前記リサイズ動作モードでの前記水平スケールレシオと前記垂直スケールレシオとは前記コントロールレジスタに格納され、
その後、前記表示制御部は、前記メモリの前記アドレス空間の内部に設定された前記矩形の書き込みアドレス範囲に前記表示データを書き込み、
更にその後、前記表示制御部は前記メモリの前記アドレス空間の内部に設定された前記矩形の書き込みアドレス範囲から前記表示データを読み出し、読み出した前記表示データの前記両方方向の拡大を行うものである請求項４に記載の画像表示制御駆動装置。
【請求項６】
前記特定の命令に関係した前記リサイズ動作モードでの前記水平スケールレシオと前記垂直スケールレシオとを前記コントロールレジスタに格納することなしに前記メモリから読み出した表示データを前記両方方向に拡大することは不可能とされている請求項５に記載の画像表示制御駆動装置。
【請求項７】
前記システムインターフェースは、外部から所定の信号振幅のデータを受信する第１インターフェースと前記所定の信号振幅よりも小さな低振幅データを受信する第２インターフェースとを含む請求項４に記載の画像表示制御駆動装置。
【請求項８】
前記第２インターフェースは、モバイルディスプレーディジタルインターフェースである請求項７に記載の画像表示制御駆動装置。
【請求項９】
半導体集積回路のチップ内部に構成されている請求項１に記載の画像表示制御駆動装置。
【請求項１０】
システムインターフェースと、表示制御部と、メモリと、表示駆動部とを含み、
前記システムインターフェースは、外部から供給される命令と表示データとを受信するように構成され、
前記システムインターフェースは、第１インターフェースと第２インターフェースとを含み、前記第１インターフェースは前記外部から所定の振幅のデータを受信するように構成され、前記第２インターフェースは前記所定の振幅よりも小さな低振幅のデータを前記外部から受信するように構成され、
前記表示制御部は前記外部からの前記表示データを前記メモリに書き込み、前記メモリに格納された前記表示データを前記表示駆動部に供給することにより前記表示駆動部は外部表示装置の水平方向と垂直方向とに配列された複数の画素を駆動するものであり、
前記外部表示装置の駆動モードは、少なくともノーマル動作モードとリサイズ動作モードとを有し、
前記ノーマル動作モードでは、前記表示駆動部は、非拡大のノーマルレシオに従って前記外部表示装置の前記複数の画素を駆動して、
前記リサイズ動作モードでは、前記表示駆動部は、所定の拡大率のリサイズスケールレシオに従って前記外部表示装置の前記複数の画素を駆動して、
前記リサイズ動作モードで前記外部表示装置の前記水平方向と前記垂直方向との両方方向で拡大が指示された場合に、前記外部から前記メモリへの書き込み動作で前記表示データの前記両方方向での拡大を行うことはなくその代わりに前記メモリに格納された前記表示データを前記表示駆動部に供給する際に、前記表示データの前記両方方向での拡大を行うものであり、
前記ノーマル動作モードから前記リサイズ動作モードへの駆動モードの変更は、外部装置から前記システムインターフェースの前記第１インターフェースに供給される前記所定の振幅を有する特定の命令により行われるものである画像表示制御駆動装置。
【請求項１１】
前記特定の命令は、前記リサイズ動作モードでの前記外部表示装置の前記水平方向の水平スケールレシオと前記外部表示装置の前記垂直方向の垂直スケールレシオとを示すビット情報を含む請求項１０に記載の画像表示制御駆動装置。
【請求項１２】
前記表示制御部は、前記外部からの前記命令を格納する命令レジスタと、前記命令に関係する制御情報を格納するコントロールレジスタとを含む請求項１０に記載の画像表示制御駆動装置。
【請求項１３】
前記特定の命令により前記リサイズ動作モードが指示された場合に、前記外部から前記メモリへの前記表示データの前記書き込み動作のために、前記メモリのアドレス空間の内部の矩形の書き込みアドレス範囲が設定され、
前記矩形の書き込みアドレス範囲は、外部からの水平開始アドレス設定命令と水平終了アドレス設定命令と垂直開始アドレス設定命令と垂直終了アドレス設定命令とにより設定され、
前記水平開始アドレス設定命令は前記矩形の書き込みアドレス範囲の水平開始アドレスを設定して、前記水平終了アドレス設定命令は前記矩形の書き込みアドレス範囲の水平終了アドレスを設定して、前記垂直開始アドレス設定命令は前記矩形の書き込みアドレス範囲の垂直開始アドレスを設定して、前記垂直終了アドレス設定命令は前記矩形の書き込みアドレス範囲の垂直終了アドレスを設定して、
前記表示制御部は、前記メモリの前記アドレス空間の内部に設定された前記矩形の書き込みアドレス範囲に前記表示データを書き込み、
その後、前記表示制御部は前記メモリの前記アドレス空間の内部に設定された前記矩形の書き込みアドレス範囲から前記表示データを読み出し、読み出した前記表示データの前記両方方向の拡大を行うものであり、前記両方方向の拡大された前記表示データを前記表示駆動部に供給するものである請求項１０に記載の画像表示制御駆動装置。
【請求項１４】
前記特定の命令により前記リサイズ動作モードが指示された場合に、前記特定の命令に関係した前記リサイズ動作モードでの前記水平スケールレシオと前記垂直スケールレシオとは前記コントロールレジスタに格納され、
その後、前記表示制御部は、前記メモリの前記アドレス空間の内部に設定された前記矩形の書き込みアドレス範囲に前記表示データを書き込み、
更にその後、前記表示制御部は前記メモリの前記アドレス空間の内部に設定された前記矩形の書き込みアドレス範囲から前記表示データを読み出し、読み出した前記表示データの前記両方方向の拡大を行うものである請求項１３に記載の画像表示制御駆動装置。
【請求項１５】
前記特定の命令に関係した前記リサイズ動作モードでの前記水平スケールレシオと前記垂直スケールレシオとを前記コントロールレジスタに格納することなしに前記メモリから読み出した表示データを前記両方方向に拡大することは不可能とされている請求項１４に記載の画像表示制御駆動装置。
【請求項１６】
前記第２インターフェースは、モバイルディスプレーディジタルインターフェースである請求項１０に記載の画像表示制御駆動装置。
【請求項１７】
半導体集積回路のチップ内部に構成されている請求項１０に記載の画像表示制御駆動装置。
【発明の詳細な説明】
【技術分野】
【０００１】
本発明は、画像表示制御駆動装置に関し、特に高信頼性の表示駆動動作を提供するのに有益な技術に関するものである。
【背景技術】
【０００２】
ＰＣ（パーソナルコンピュータ）では、グラフィックス表示方式の解像度は、水平６４０×垂直４８０ピクセルサイズのＶＧＡの解像度がベースとなっており、更に水平８００×垂直６００ピクセルサイズのＳＶＧＡや水平１０２４×垂直７６８ピクセルサイズのＸＧＡの高解像度も普及している。尚、ＶＧＡは、Video Graphic Arrayの略、ＳＶＧＡはSuper-VGAの略、ＸＧＡはeXtended Graphic Arrayの略である。
【０００３】
一方、携帯電話やＰＤＡ（パーソナルディジタルアシスト）に代表される携帯情報端末の画像表示装置には、薄型、軽量、低消費電力のＴＦＴ（薄膜トランジスタ）液晶等のアクティブマトリックス型が使用される。ＴＦＴは液晶パネルのガラス表面に低温ポリシリコンの堆積で形成されるので、この画像表示装置は低温ポリシリコン（ＬＴＰＳ）ＴＦＴカラー液晶と呼ばれている。尚、ＬＴＰＳは、Low Temperature Poly-Siliconの略である。携帯電話のインターネットコンテンツやゲームなどのアプリケーションソフトウェアの表示画面設計では、その解像度がＱＶＧＡの解像度（水平３２０×垂直２４０ピクセルサイズ）が主流となっている。一方、最近の携帯電話には携帯電話の機能だけではなく、地上波ディジタルテレビ受信機の機能も追加され、またＰＤＡ等の携帯情報端末はＰＣ（パーソナルコンピュータ）の機能を持つようになっている。尚、ＱＶＧＡは、Quarter Video Graphic Arrayの略である。
【０００４】
このように機能が向上した携帯電話やＰＤＡ等の携帯情報端末では、ＬＴＰＳ・ＴＦＴカラー液晶の解像度がＱＶＧＡの解像度よりも大きな、例えば水平３６０×垂直２４０ピクセルサイズや水平３６０×垂直４８０ピクセルサイズの高解像度が必要とされて来ている。
【０００５】
しかし、このように高解像度のＬＴＰＳ・ＴＦＴカラー液晶に、低高解像度のＱＶＧＡのコンテンツを表示する際に拡大表示を行うことで、高解像度のＬＴＰＳ・ＴＦＴカラー液晶の大画面の利点が活用される。
【０００６】
下記の非特許文献１には、ＱＶＧＡの解像度（２４０×３２０のピクセルサイズ）のＬＴＰＳ・ＴＦＴカラー液晶を駆動する半導体集積回路が記載されている（ページ７参照）。この半導体集積回路は、２２４，６４０バイトを格納することにより最大で２４０×３２０のピクセルを表示できるＧＲＡＭと呼ばれるグラフィックＲＡＭを内蔵している（ページ２２参照）。この半導体集積回路は、×１／２と×１／４との縮小と×２の拡大とのリサイズ機能を有している（ページ１０５参照）。この縮小表示では、縮小率を指定するリサイズスケールレシオ（ＲＳＲ）ビットに従って水平方向と垂直方向とで縮小された画像データがＲＡＭに書き込まれる（ページ４２参照）。この拡大表示では、水平方向の拡大はビットスケールに従ったＲＡＭへのデータの書き込み時に行われ、垂直方向の拡大は内蔵ＲＡＭのデータが表示される時に行われる（ページ４２参照）。このようにＲＡＭの画像データは垂直方向の表示の際にのみ拡大されるので、大画面に拡大画像を表示する際にもシステムの画像転送データの削減が可能となる（ページ１０９参照）。
【０００７】
一方、下記の特許文献１には、ＱＶＧＡの解像度を越える高解像度の表示装置に、低解像度のＱＶＧＡを拡大表示することが記載されている。低解像度のＱＶＧＡの拡大表示では、奇数ゲートドライバにより選択される一方のデータ線と偶数ゲートドライバにより選択される他方のデータ線とに同一のデータ信号を分配するものである。その結果、水平２画素と垂直２画素とに同じ表示データを書き込むことができ、拡大したＱＶＧＡ表示が可能となる。また、下記特許文献１に記載の技術では、外部装置（ＣＰＵ）からの命令により、または外部からの入力表示データがＱＶＧＡであると入力データ判定回路での判定により、拡大処理を行い表示するものである。
【０００８】
【非特許文献１】製品名ＨＤ６６７８１  データ・シート  “ＨＤ６６７８１  ７２０−ｃｈａｎｎｅｌ  Ｓｏｕｒｃｅ  Ｄｒｉｖｅｒ  ｆｏｒ  ａ−Ｓｉ  ＴＦＴ／Ｌｏｗ  Ｔｅｍｐｅｒａｔｕｒｅ  Ｐｏｌｙ−Ｓｉ  ＴＦＴ  Ｐａｎｅｌｓ  ｗｉｔｈ  ２６２，１４４−ｃｏｌｏｒ  ｄｉｓｐｌａｙ  ＲＡＭ”ｐｐ．１〜１９６，日本  Ｒｅｎｅｓａｓ  Ｔｅｃｈｎｏｌｏｇｙ  Ｃｏｒｐ．ｈｔｔｐ：／／ｗｗｗ．ｄａｔａｓｈｅｅｔａｒｃｈｉｖｅ．ｃｏｍ／  平成１９年１月１０日検索
【特許文献１】特開２００６−３０１１６６号  公報
【発明の開示】
【発明が解決しようとする課題】
【０００９】
本発明者等は本発明に先立って、機能が向上した携帯電話やＰＤＡ等の携帯情報端末では、ＬＴＰＳ・ＴＦＴカラー液晶の解像度がＱＶＧＡの解像度も大きな、水平４８０×垂直３６０ピクセルサイズの高解像度のための表示駆動回路を含む半導体集積回路の開発に従事した。その際に、本発明者等は、前記非特許文献１と前記特許文献１とに記載された技術について検討した。
【００１０】
前記非特許文献１に記載された技術では、水平方向で拡大スケールが設定されると、データはビットスケールに従って拡大されて水平方向にＲＡＭに書き込まれる。従って、拡大表示では、水平方向で拡大データをＲＡＭに書き込む必要があるので、システムの画像転送データの削減の効果が小さいと言う問題が、本発明者等による検討により明らかとされた。
【００１１】
前記特許文献１に記載された技術では、低解像度のＱＶＧＡの拡大表示では、水平２画素と垂直２画素とに同じ表示データを書き込まれる。従って、システムからの画像転送データの削減の効果が大きい。しかし、前記特許文献１に記載された技載技術では、上述のように外部装置（ＣＰＵ）からの命令に応答してまたは入力表示データがＱＶＧＡであると入力データ判定回路の判定に応答して、拡大処理を行い表示するものである。しかしながら、発明者等による検討により、入力表示データが低振幅の高速シリアルインターフェース信号である場合や高レベル雑音を含む場合等には、入力データ判定回路で誤判定が発生する可能性があることが明らかとされた。すなわち、入力データ判定回路での誤判定により、画像表示制御駆動装置の表示駆動に誤動作が発生して、表示駆動動作の信頼性が不十分となる。例えば、低振幅の高速シリアルインターフェース信号は、ＶＥＳＡが推進するＭＤＤＩに準拠する差動小振幅高速シリアルインターフェース信号である。尚、ＶＥＳＡは、Video Electronics Standard Associationの略である。また、ＭＤＤＩは、Mobile Display Digital Interfaceの略である。
【００１２】
このように本発明は、本発明に先立って本発明者等によって為された検討を基にしてなされたものである。従って、本発明の目的とするところは、高信頼性の表示駆動動作が可能な表示駆動回路を含む画像表示制御駆動装置を提供することにある。また本発明の他の目的は、外部からの入力表示データが低振幅のインターフェース信号であっても、表示駆動動作の動作信頼性を改善することにある。
【００１３】
本発明の前記ならびにその他の目的と新規な特徴は、本明細書の記述および添付図面から明らかになるであろう。
【課題を解決するための手段】
【００１４】
本願において開示される発明のうち、代表的なものの概要を簡単に説明すれば、次の通りである。
【００１５】
即ち、本発明の代表的な画像表示制御駆動装置（２１０）は、外部表示装置（２２０）を駆動する表示駆動部（２１４）を含む。前記画像表示制御駆動装置は、所定の拡大率のリサイズスケールレシオに従って前記外部表示装置の水平方向と垂直方向とに配列された複数の画素を駆動するリサイズ動作モードを有する。前記画像表示制御駆動装置は、非拡大のノーマルレシオに従って前記外部表示装置の前記複数の画素を駆動するノーマル動作モードを有する。前記ノーマル動作モードから前記リサイズ動作モードへの変更は、外部装置（５１０）からの特定の命令のみにより行うものである（図１、図２参照）。
【００１６】
また、本発明の他の代表的な画像表示制御駆動装置（２１０）は、外部表示装置（２２０）を駆動する表示駆動部（２１４）を含む。システムインターフェース（２１１）は、所定の振幅の第１インターフェース（２１１１）と低振幅の第２インターフェース（２１１２）とを含む。前記ノーマル動作モードから前記リサイズ動作モードへの駆動モードの変更は、外部装置（５１０）から前記システムインターフェースの前記第１インターフェースに供給される前記所定の振幅を有する特定の命令（Ｒ００５ｈ）により行われるものである（図７（ａ）参照）。
【発明の効果】
【００１７】
本願において開示される発明のうち、代表的なものによって得られる効果を簡単に説明すれば以下の通りである。
【００１８】
すなわち、本発明によれば、高信頼性の表示駆動動作が可能な表示駆動回路を含む画像表示制御駆動装置を提供することが可能となる。また、また本発明によれば、外部からの入力表示データが低振幅のインターフェース信号であっても、表示駆動動作の動作信頼性を改善することが可能となる。
【発明を実施するための最良の形態】
【００１９】
《代表的な実施の形態》
先ず、本願において開示される発明の代表的な実施の形態について概要を説明する。代表的な実施の形態についての概要説明で括弧を付して参照する図面の参照符号はそれが付された構成要素の概念に含まれるものを例示するに過ぎない。
【００２０】
〔１〕本発明の代表的な実施の形態に係る画像表示制御駆動装置（２１０）は、システムインターフェース（２１１）と、表示制御部（２１２）と、メモリ（２１３）と、表示駆動部（２１４）とを含む。
【００２１】
前記システムインターフェースは、外部から供給される命令と表示データとを受信するように構成されている。
【００２２】
前記表示制御部は前記外部からの前記表示データを前記メモリに書き込み、前記メモリに格納された前記表示データを前記表示駆動部に供給する。それにより、前記表示駆動部は、外部表示装置の水平方向と垂直方向とに配列された複数の画素を駆動するものである。
【００２３】
前記外部表示装置の駆動モードは、少なくともノーマル動作モードとリサイズ動作モードとを有する。
【００２４】
前記ノーマル動作モードでは、前記表示駆動部は、非拡大のノーマルレシオに従って外部表示装置の前記複数の画素を駆動する。前記リサイズ動作モードでは、前記表示駆動部は、所定の拡大率のリサイズスケールレシオに従って前記外部表示装置の前記複数の画素を駆動する。
【００２５】
前記リサイズ動作モードで前記外部表示装置の前記水平方向と前記垂直方向との両方方向で拡大が指示された場合に、前記外部から前記メモリへの書き込み動作で前記表示データの前記両方方向での拡大を行うことはない。その代わり、前記メモリに格納された前記表示データを前記表示駆動部に供給する際に、前記表示データの前記両方方向での拡大を行うものである。
【００２６】
前記ノーマル動作モードから前記リサイズ動作モードへの駆動モードの変更は、外部装置（５１０）から前記システムインターフェースに供給される特定の命令（Ｒ００５ｈ）のみにより行われるものである（図７（ａ）参照）。
【００２７】
前記実施の形態によれば、前記ノーマル動作モードから前記リサイズ動作モードへの駆動モードの変更は、前記特定の命令のみにより行うものである。従って、システムの画像転送データの削減の効果を大きくできると伴に、高信頼性の表示駆動動作が可能な表示駆動回路を含む画像表示制御駆動装置を提供することができる。
【００２８】
好適な実施の形態として、前記特定の命令は、前記リサイズ動作モードでの前記外部表示装置の前記水平方向の水平スケールレシオ（ＲＳＥＨ）と前記外部表示装置の前記垂直方向の垂直スケールレシオ（ＲＳＥＶ）とを示すビット情報を含む（図７（ａ）参照）。
【００２９】
より好適な実施の形態として、前記表示制御部は、前記外部からの前記命令を格納する命令レジスタ（２１２１）と、前記命令に関係する制御情報を格納するコントロールレジスタ（２１２２）とを含む（図２参照）。
【００３０】
具体的な実施の形態として、前記特定の命令（Ｒ００５ｈ）により前記リサイズ動作モードが指示された場合に、前記外部から前記メモリへの前記表示データの前記書き込み動作のために、前記メモリのアドレス空間（ＧＲＡＭ＿Ａｄｄ＿Ｓｐ）の内部の矩形の書き込みアドレス範囲（Ｗｉｎ）が設定される。前記矩形の書き込みアドレス範囲は、外部からの水平開始アドレス設定命令と水平終了アドレス設定命令と垂直開始アドレス設定命令と垂直終了アドレス設定命令とにより設定される。前記水平開始アドレス設定命令（Ｒ２１０ｈ）は前記矩形の書き込みアドレス範囲の水平開始アドレス（ＨＳＡ）を設定して、前記水平終了アドレス設定命令（Ｒ２１１ｈ）は前記矩形の書き込みアドレス範囲の水平終了アドレス（ＨＥＡ）を設定する。前記垂直開始アドレス設定命令（Ｒ２１２ｈ）は前記矩形の書き込みアドレス範囲の垂直開始アドレス（ＶＳＡ）を設定して、前記垂直終了アドレス設定命令（Ｒ２１３ｈ）は前記矩形の書き込みアドレス範囲の垂直終了アドレス（ＶＥＡ）を設定する。前記表示制御部は、前記メモリの前記アドレス空間の内部に設定された前記矩形の書き込みアドレス範囲に前記表示データを書き込む。その後、前記表示制御部は前記メモリの前記アドレス空間の内部に設定された前記矩形の書き込みアドレス範囲から前記表示データを読み出し、読み出した前記表示データの前記両方方向の拡大を行うものであり、前記両方方向の拡大された前記表示データを前記表示駆動部に供給するものである（図５、図６参照）。
【００３１】
より具体的な実施の形態として、前記特定の命令により前記リサイズ動作モードが指示された場合に、前記特定の命令に関係した前記リサイズ動作モードでの前記水平スケールレシオと前記垂直スケールレシオとは前記コントロールレジスタに格納される。その後、前記表示制御部は、前記メモリの前記アドレス空間の内部に設定された前記矩形の書き込みアドレス範囲に前記表示データを書き込む。更にその後、前記表示制御部は前記メモリの前記アドレス空間の内部に設定された前記矩形の書き込みアドレス範囲から前記表示データを読み出し、読み出した前記表示データの前記両方方向の拡大を行うものである。
【００３２】
他のより具体的な実施の形態として、前記特定の命令に関係した前記リサイズ動作モードでの前記水平スケールレシオと前記垂直スケールレシオとを前記コントロールレジスタに格納することなしに前記メモリから読み出した表示データを前記両方方向に拡大することは不可能とされている。
【００３３】
前記他のより具体的な実施の形態によれば、予想に反した表示データの拡大の動作は不可能とされている。従って、高信頼性の表示駆動動作が可能となる。
【００３４】
他の具体的な実施の形態として、前記システムインターフェースは、外部から所定の信号振幅のデータを受信する第１インターフェース（２１１１）と、前記所定の信号振幅よりも小さな低振幅データを受信する第２インターフェース（２１１２）とを含む。
【００３５】
他の更に具体的な実施の形態として、前記第２インターフェースは、モバイルディスプレーディジタルインターフェース（ＭＤＤＩ）である。
【００３６】
最も具体的な実施の形態として、前記画像表示制御駆動装置は半導体集積回路のチップ内部に構成されている（図２参照）。
【００３７】
〔２〕別の観点による実施の形態に係る画像表示制御駆動装置（２１０）は、システムインターフェース（２１１）と、表示制御部（２１２）と、メモリ（２１３）と、表示駆動部（２１４）とを含む。
【００３８】
前記システムインターフェースは、外部から供給される命令と表示データとを受信するように構成されている。
【００３９】
前記システムインターフェースは、第１インターフェース（２１１１）と第２インターフェース（２１１２）とを含む。前記第１インターフェースは、前記外部から所定の振幅のデータを受信するように構成されている。前記第２インターフェースは、前記所定の振幅よりも小さな低振幅のデータを前記外部から受信するように構成されている。
【００４０】
前記表示制御部は前記外部からの前記表示データを前記メモリに書き込み、前記メモリに格納された前記表示データを前記表示駆動部に供給する。それにより、前記表示駆動部は、外部表示装置の水平方向と垂直方向とに配列された複数の画素を駆動するものである。
【００４１】
前記外部表示装置の駆動モードは、少なくともノーマル動作モードとリサイズ動作モードとを有する。
【００４２】
前記ノーマル動作モードでは、前記表示駆動部は、非拡大のノーマルレシオに従って前記外部表示装置の前記複数の画素を駆動する。前記リサイズ動作モードでは、前記表示駆動部は、所定の拡大率のリサイズスケールレシオに従って前記外部表示装置の前記複数の画素を駆動する。
【００４３】
前記リサイズ動作モードで前記外部表示装置の前記水平方向と前記垂直方向との両方方向で拡大が指示された場合に、前記外部から前記メモリへの書き込み動作で前記表示データの前記両方方向での拡大を行うことはない。その代わり、前記メモリに格納された前記表示データを前記表示駆動部に供給する際に、前記表示データの前記両方方向での拡大を行うものである。
【００４４】
前記ノーマル動作モードから前記リサイズ動作モードへの駆動モードの変更は、外部装置（５１０）から前記システムインターフェースの前記第１インターフェースに供給される前記所定の振幅を有する特定の命令（Ｒ００５ｈ）により行われるものである（図７（ａ）参照）。
【００４５】
前記別の観点による実施の形態によれば、外部からの第２インターフェースに供給される入力表示データが低振幅のインターフェース信号であっても、前記特定の命令は前記所定の振幅を有するので、表示駆動動作の動作信頼性を改善することが可能となる。
【００４６】
《実施の形態の説明》
次に、実施の形態について更に詳述する。以下、本発明を実施するための最良の形態を図面に基づいて詳細に説明する。なお、発明を実施するための最良の形態を説明するための全図において、同一の機能を有する部材には同一の符号を付し、その繰り返しの説明は省略する。
【００４７】
≪モバイル端末装置の全体構成≫
図１は、本発明の一つの実施形態による画像表示制御駆動装置が搭載されたモバイル端末装置の全体構成を示す図である。ここではモバイル端末装置は、携帯電話端末装置である。しかし、モバイル端末装置は、ノート型パーソナルコンピュータもしくはＰＤＡ(パーソナルディジタルアシスト)機器のためのモバイル通信用デバイスであってもよい。
【００４８】
アンテナ１００（ＡＮＴ）は携帯電話端末装置が基地局からの受信動作と前記基地局への送信動作とを行うために、無線周波数（以下、ＲＦと称する）の基地局からの受信信号を受け、基地局へのＲＦ送信信号を出力する。このアンテナ１００は、フロントエンドモジュール２００（ＦＥＭ）に接続されている。フロントエンドモジュール２００はアンテナスイッチ２０１（ＡＮＴ＿ＳＷ）を有する。このアンテナスイッチ２０１が上側に接続されている場合は、アンテナ１００で受信されたＲＦ受信信号は例えば表面弾性波デバイスによる受信フィルタ２０２（ＳＡＷ）に供給される。一方、アンテナスイッチ２０１が下側に接続されている場合は、送信用ＲＦ電力増幅器２０３（ＲＦ＿ＰＡ）の出力にアンテナスイッチ２０１が接続される。従って、送信用ＲＦ電力増幅器２０３のＲＦパワー出力によってアンテナ１００から基地局へのＲＦ送信信号が出力される。このフロントエンドモジュール２００のアンテナスイッチ２０１はＴＤＭＡ方式の受信動作のタイムスロットでは上側に接続され、送信動作のタイムスロットでは下側に接続される。
【００４９】
フロントエンドモジュール２００の受信フィルタ２０２の出力のＲＦ受信信号は、ＲＦアナログ信号処理ユニットであるＲＦアナログ信号処理集積回路３００（ＲＦ＿ＩＣ）の内部のＲＦ受信信号アナログ信号処理サブユニット３０１（ＲＸ  ＳＰＵ）の入力に接続されている。一方、フロントエンドモジュール２００の送信用ＲＦ電力増幅器２０３のＲＦ入力は、ＲＦアナログ信号処理集積回路３００の内部のＲＦ送信信号アナログ信号処理サブユニット３０２（ＴＸ  ＳＰＵ）の出力に接続されている。
【００５０】
次にＲＦアナログ信号処理集積回路３００について、詳細に説明する。ＲＦアナログ信号処理集積回路３００内部のＲＦ受信信号アナログ信号処理サブユニット３０１は、受信フィルタ２０２からのＲＦ受信信号からアナログベースバンド受信信号の直交成分ＲｘＡＢＩ、ＲｘＡＢＱを形成する。これらの直交成分ＲｘＡＢＩ、ＲｘＡＢＱは、アナログベースバンド受信信号Ｉ用のＡ／Ｄ変換器３０３（Ｉ＿ＡＤＣ）とアナログベースバンド受信信号Ｑ用のＡ／Ｄ変換器３０４（Ｑ＿ＡＤＣ）との入力に供給される。アナログベースバンド受信信号Ｉ、Ｑ用のＡ／Ｄ変換器３０３、３０４とは供給されたアナログベースバンド受信信号ＲｘＡＢＩ、ＲｘＡＢＱをディジタルベースバンド受信信号ＲｘＤＢＩ、ＲｘＤＢＱに変換する。これらのディジタルベースバンド受信信号ＲｘＤＢＩ、ＲｘＤＢＱは、マルチプレクサー３０５（ＭＰＸ）の二つの入力に供給される。マルチプレクサー３０５は、ベースバンドディジタル信号処理ユニットであるベースバンド信号処理ＬＳＩ４００（ＢＢ＿ＬＳＩ）に接続されている。具体的な実施形態では、受信動作では二つのディジタルベースバンド受信信号ＲｘＤＢＩ、ＲｘＤＢＱは時分割でベースバンド信号処理ＬＳＩ  ４００に供給される。
【００５１】
また、送信動作では、マルチプレクサー３０５は、ベースバンド信号処理ＬＳＩ４００から印加されたディジタルベースバンド送信信号ＴｘＤＢをディジタルベースバンド変調器３０６（Ｄｉｇ＿ＭＯＤ）に出力する。ディジタルベースバンド変調器３０６は、マルチプレクサー３０５から供給されたディジタルベースバンド送信信号ＴｘＤＢからディジタルベースバンド送信信号の直交成分ＴｘＤＢＩ、ＴｘＤＢＱを形成する。これらの直交成分ＴｘＤＢＩ、ＴｘＤＢＱは、ディジタルベースバンド送信信号Ｉ用のＤ／Ａ変換器３０７（Ｉ＿ＤＡＣ）とディジタルベースバンド送信信号Ｑ用のＤ／Ａ変換器３０８（Ｑ＿ＤＡＣ）の入力にそれぞれ供給される。ディジタルベースバンド送信信号Ｉ、Ｑ用のＤ／Ａ変換器３０７、３０８は、供給されたディジタルベースバンド送信信号ＴｘＤＢＩ、ＴｘＤＢＱをアナログベースバンド送信信号ＴｘＡＢＩ、ＴｘＡＢＱに変換する。これらの信号ＴｘＡＢＩ、ＴｘＡＢＱは、ＲＦアナログ信号処理集積回路３００内部のＲＦ送信信号アナログ信号処理サブユニット３０２（ＴＸ  ＳＰＵ）の入力に供給される。ＲＦ送信信号アナログ信号処理サブユニット３０２は、アナログベースバンド送信信号ＴｘＡＢＩ、ＴｘＡＢＱからＲＦ送信信号を形成して、送信用ＲＦ電力増幅器２０３のＲＦパワー入力に供給する。送信用ＲＦ電力増幅器２０３は、ＲＦパワー入力を増幅することによりＲＦ増幅出力信号をＲＦパワー出力に生成する。ＲＦアナログ信号処理集積回路３００内部のランプ信号Ｄ／Ａ変換器３０９（Ｒａｍｐ  ＤＡＣ）の自動パワー制御電圧Ｖａｐｃによって、送信用ＲＦ電力増幅器２０３の増幅ゲインが設定される。
【００５２】
ベースバンド信号処理ＬＳＩ４００内部のディジタルシグナルプロセッサ（ＤＳＰ）は、ＲＦアナログ信号処理集積回路３００のＲＦ受信信号アナログ信号処理サブユニット３０１により処理された受信ベースバンド信号に関する信号処理を実行する。この信号処理により、事前に確立された通信がＧＳＭ方式の場合には、位相変調成分を生成することで位相復調を実行する。この位相復調結果により、ベースバンド信号処理ＬＳＩ４００外部のＤ／Ａ変換器５０２（ＤＡＣ）とスピーカー５０３（ＳＰ）により通信相手の会話のオーディオ信号が得られる。一方、図１のモバイル端末装置を使用するユーザーが発声したアナログ・オーディオ信号は、マイク５０４（ＭＩＣ）とＡ／Ｄ変換器５０５（ＡＤＣ）によりディジタル・オーディオ信号に変換される。ベースバンド信号処理ＬＳＩ４００内部のディジタルシグナルプロセッサ（ＤＳＰ）は、このディジタル・オーディオ信号に関する信号処理を実行する。
【００５３】
尚、ベースバンド信号処理ＬＳＩ４００は、第１外部バス５０６（Ｂｕｓ＿１）を介して第１外部メモリ５０７（ＭＥＭ＿１）とアプリケーションプロセッサ５１０（ＡＰ）とに接続されることができる。第１外部メモリ５０７（ＭＥＭ＿１）は、ベースバンド信号処理ＬＳＩ４００のワークメモリとして利用されるＳＲＡＭとベースバンド信号処理ＬＳＩ４００のための動作プログラムを格納する不揮発性メモリＦｌａｓｈとを含む。この不揮発性メモリＦｌａｓｈに格納された動作プログラムは、ベースバンドプロセッサコア４０１内部のディジタルシグナルプロセッサ（ＤＳＰ）によるＧＳＭ方式の受信ベースバンド信号に関する位相復調と送信ベースバンド信号に関する位相変調のためのプログラムとを含んでいる。また、この不揮発性メモリＦｌａｓｈは、ＥＤＧＥ方式の受信ベースバンド信号に関する位相復調と振幅復調と送信ベースバンド信号に関する位相変調と振幅変調のプログラムを含んでいる。
【００５４】
第１外部バス５０６を介してベースバンド信号処理ＬＳＩ４００と接続されたアプリケーションプロセッサ５１０（ＡＰ）は、第２外部バス５１１（Ｂｕｓ＿２）を介して第２外部メモリ５１２（ＭＥＭ＿２）と液晶表示装置５１３（ＬＣＤ）と操作キー入力装置５１４（ＩＮＰＤ）とに接続されている。この第２外部メモリ５１２（ＭＥＭ＿２）は、アプリケーションプロセッサ５１０のワークメモリとして利用されるＳＲＡＭと擬似ＳＲＡＭ（Ｐ−ＳＲＡＭ）とアプリケーションプロセッサ５１０のための動作プログラムを格納する不揮発性メモリＦｌａｓｈとを含む。また、本発明の好適な実施形態では、第２外部メモリ５１２（ＭＥＭ＿２）の不揮発性メモリＦｌａｓｈには、モバイル端末装置のブートプログラム（モバイル端末装置のパワーオン時もしくはリセット時のイニシャライズ処理）とオペレーティングシステムプログラム（ＯＳ）とを含んでいる。さらに第２外部メモリ５１２の不揮発性メモリＦｌａｓｈには、汎用プログラミング言語の実行プログラムやゲーム等の種々のアプリケーションプログラム等も格納することもできる。
【００５５】
また、ベースバンド信号処理ＬＳＩ４００とアプリケーションプロセッサ５１０とはそれぞれ別の半導体チップで構成されているが、別な実施形態ではアプリケーションプロセッサ５１０がベースバンド信号処理ＬＳＩ４００の半導体チップに統合された統合ワンチップとされる。さらに別な実施形態ではベースバンド信号処理ＬＳＩ４００とアプリケーションプロセッサ５１０とが統合された統合ワンチップ中に、ＲＦアナログ信号処理ユニット３００も更に統合される。
【００５６】
≪本発明の１つの実施の形態による画像表示制御駆動装置≫
図２は、本発明の１つの実施の形態による画像表示制御駆動装置２１０を示すブロック図である。同図に示すように、画像表示制御駆動装置２１０は図１の液晶表示装置５１３（ＬＣＤ）に含まれている。
【００５７】
この画像表示制御駆動装置２１０は、システムインターフェース２１１と、表示制御部２１２と、グラフィックＲＡＭ（ＧＲＡＭ）と呼ばれるメモリ２１３と、表示駆動部２１４とを含んでいる。画像表示制御駆動装置２１０のシステムインターフェース２１１は、外部から供給される命令と表示データとを受信するように構成されている。画像表示制御駆動装置２１０の表示制御部２１２は外部からの表示データをＧＲＡＭ２１３に書き込み、ＧＲＡＭ２１３に格納された表示データを表示駆動部２１４に供給する。それにより、表示駆動部２１４は、外部表示装置２２０としての液晶パネルＬＣＰの水平方向と垂直方向とに配列された複数の画素を駆動するものである。液晶パネル（ＬＣＰ）２２０は、ガラス表面にアクティブマトリックス表示のためのＴＦＴが低温ポリシリコンの堆積で形成されたＬＴＰＳ・ＴＦＴカラー液晶である。画像表示制御駆動装置２１０は、半導体集積回路のチップ内部に形成された液晶コントローラドライバＬＳＩとして構成されている。
【００５８】
≪アプリケーションプロセッサからドライバＬＳＩに供給される種々の命令≫
図７は、アプリケーションプロセッサ（ＡＰ）５１０からドライバＬＳＩ２１０のシステムインターフェース２１１の第１インターフェース２１１１に供給される種々の命令を示す図である。図７の種々の命令は、インデックスＲ００５ｈ…Ｒ４０３ｈにより、互いに区別されることができる。図７の種々の命令がＡＰ５１０からドライバＬＳＩ２１０に供給されると、命令に関係する動作情報は表示制御部２１２の命令レジスタ２１２１からコントロールレジスタ２１２２に供給される。
【００５９】
図７（ａ）は、特定の命令であるリサイズ命令（インデックスＲ００５ｈ）の命令フォーマットを示している。図７（ａ）に示すリサイズ命令（インデックスＲ００５ｈ）がアプリケーションプロセッサ（ＡＰ）５１０から供給されると、ドライバＬＳＩ２１０の表示制御部２１２は、リサイズスケールレシオのリサイズ動作モードが指示されていると解釈する。図７（ａ）に示すリサイズ命令（インデックスＲ００５ｈ）の右側のＩＢ０に、水平方向リサイズ倍率設定情報ＲＳＥＨが含まれている。設定情報ＲＳＥＨが１’ｈ０の時にはリサイズなし（１倍）が指示され、設定情報ＲＳＥＨが１’ｈ１の時には２倍リサイズ（水平方向２倍）が指示される。図７（ａ）に示すリサイズ命令（インデックスＲ００５ｈ）の略中央のＩＢ８に、垂直方向リサイズ倍率設定情報ＲＳＥＶが含まれている。設定情報ＲＳＥＶが１’ｈ０の時にはリサイズなし（１倍）が指示され、設定情報ＲＳＥＶが１’ｈ１の時には２倍リサイズ（垂直方向２倍）が指示される。非拡大のノーマルレシオのノーマル動作モードでは、図７（ａ）の特定の命令であるリサイズ命令（インデックスＲ００５ｈ）が供給されることはない。従って、この状況では、ドライバＬＳＩ２１０の表示制御部２１２は、アプリケーションプロセッサ（ＡＰ）５１０から非拡大のノーマルレシオのノーマル動作モードが指示されていると解釈する。
【００６０】
図７（ｂ）に示すＧＲＡＭ２１３のアクセスのための水平方向のＲＡＭアドレスのセット命令（インデックスＲ２００ｈ）が、アプリケーションプロセッサ（ＡＰ）５１０からドライバＬＳＩ２１０に供給される。水平方向のＲＡＭアドレスのセット命令（インデックスＲ２００ｈ）の下位ビットＩＢ８〜ＩＢ０に、水平方向のＲＡＭアドレス情報ＨＡＤが含まれている。
【００６１】
図７（ｃ）に示すＧＲＡＭ２１３のアクセスのための垂直方向のＲＡＭアドレスのセット命令（インデックスＲ２０１ｈ）が、アプリケーションプロセッサ（ＡＰ）５１０からドライバＬＳＩ２１０に供給される。垂直方向のＲＡＭアドレスのセット命令（インデックスＲ２０１ｈ）の下位ビットＩＢ８〜ＩＢ０に、垂直方向のＲＡＭアドレス情報ＶＡＤが含まれている。
【００６２】
図７（ｄ）〜（ｇ）はＧＲＡＭ２１３の内部の矩形のウインドウ・アドレス範囲Ｗｉｎのアクセス設定を設定する命令である。図７（ｄ）はＧＲＡＭ２１３のアクセスのためのＲＡＭ水平方向開始アドレスのセット命令（インデックスＲ２１０ｈ）であり、下位ビットＩＢ８〜ＩＢ０にＲＡＭ水平方向開始アドレス情報が含まれている。図７（ｅ）はＧＲＡＭ２１３のアクセスのためのＲＡＭ水平方向終了アドレスのセット命令（インデックスＲ２１１ｈ）であり、下位ビットＩＢ８〜ＩＢ０にＲＡＭ水平方向終了アドレス情報が含まれている。図７（ｆ）はＧＲＡＭ２１３のアクセスのためのＲＡＭ垂直方向開始アドレスのセット命令（インデックスＲ２１２ｈ）であり、下位ビットＩＢ８〜ＩＢ０にＲＡＭ垂直方向開始アドレス情報が含まれている。図７（ｇ）はＧＲＡＭ２１３のアクセスのためのＲＡＭ垂直方向終了アドレスのセット命令（インデックスＲ２１３ｈ）であり、下位ビットＩＢ８〜ＩＢ０にＲＡＭ垂直方向終了アドレス情報が含まれている。
【００６３】
図７（ｈ）はＧＲＡＭ２１３のライト命令（インデックスＲ２０２ｈ）であり、最上位Ｒ／ＷがＷの時にはライトの命令となる。レジスタ選択信号ＲＳの右は、ライトデータＷＤ１５〜ＷＤ０である。
【００６４】
図７（ｉ）はアプリケーションプロセッサ等のドライバＬＳＩの外部からの読み出しに利用されるＧＲＡＭ２１３のリード命令（インデックスＲ２０２ｈ）であり、最上位Ｒ／ＷがＲの時にはリードの命令となる。レジスタ選択信号ＲＳの右は、リードデータＲＤ１５〜ＲＤ０である。
【００６５】
図７（ｊ）は、ＧＲＡＭ２１３のアクセスによる液晶パネル（ＬＣＰ）２２０の１枚のベース画面を表示するためのベース画面表示先頭ラインアドレスＢＳＡを設定するベース画面表示先頭ライン制御命令（インデックスＲ４０２ｈ）であり、下位ビットＩＢ８〜ＩＢ０にベース画面表示先頭ラインアドレス情報ＢＳＡが含まれている。
【００６６】
図７（ｋ）は、ＧＲＡＭ２１３のアクセスによる液晶パネル（ＬＣＰ）２２０の１枚のベース画面を表示するためのベース画面表示終了ラインアドレスＢＳＥを設定するベース画面表示終了ライン制御命令（インデックスＲ４０４ｈ）であり、下位ビットＩＢ８〜ＩＢ０にベース画面表示終了ラインアドレス情報ＢＳＥ９が含まれている。
【００６７】
≪ドライバＬＳＩのシステムインターフェース２１１≫
図２に示すように、ドライバＬＳＩ２１０のシステムインターフェース２１１は、外部から所定の信号振幅のデータを受信する第１インターフェース２１１１と、所定の信号振幅よりも小さな低振幅データを受信する第２インターフェース２１１２とを含んでいる。この第２インターフェース２１１２は、モバイルディスプレーディジタルインターフェース（ＭＤＤＩ）である。
【００６８】
第１インターフェース２１１１には、４ビットのインターフェースモード信号ＩＭ３〜ＩＭ０が供給される。インターフェースモード信号ＩＭ３〜ＩＭ０の４ビットの“０”レベルと“１”レベルとの組み合わせにより、下記のシステムインターフェースが定義されることができる。
【００６９】
ＩＭ３  ＩＭ２  ＩＭ１  ＩＭ０    システムインターフェース
“０”  “０”  “０”  “０”      ８０系１６ビットインターフェース
“０”  “０”  “０”  “１”      クロック同期シリアルインターフェース
“０”  “０”  “１”  “０”      ８０系８ビットインターフェース
“０”  “０”  “１”  “１”      ＭＤＤＩインターフェース
その他                            設定禁止
また、第１インターフェース２１１１には、他の信号ＣＳ、ＲＳ、ＷＲ／ＳＣＬ、ＲＤ、ＤＢ、Ｒｅｓｅｔも供給される。チップ選択信号ＣＳがローレベルでチップ選択されてドライバＬＳＩ２１０へのアクセスが可能となり、チップ選択信号ＣＳがハイレベルでチップ非選択とされてドライバＬＳＩ２１０へのアクセスが禁止される。レジスタ選択信号ＲＳがローレベルでインデックスモードとなり、レジスタ選択信号ＲＳがハイレベルでコントロールモードとなる。信号ＷＲ／ＳＣＬは、８０系バスインターフェースの時にライトストローブ信号となり、ローレベルでデータの書き込みが可能となり、クロック同期シリアルインターフェースの時に同期クロック信号となる。信号ＲＤは、８０系バスインターフェースの時にリードストローブ信号となり、ローレベルでデータの読み出しが可能となる。入出力信号ＤＢは、８０系バスインターフェースの時に１８ビットの双方向データバスとなり、クロック同期シリアルインターフェースの時に一部がシリアルデータ入力端子となり残りがシリアルデータ出力端子となる。リセット信号Ｒｅｓｅｔは、電源投入の後のパワーオンリセット等の初期化に使用されるものである。
【００７０】
すなわち、８０系バスインターフェースの時に、信号ＷＲ／ＳＣＬ、ＲＤ、ＲＳの“０”レベルと“１”レベルとの組み合わせにより、下記の動作が可能となる。
【００７１】
ＷＲ／ＳＣＬ  ＲＤ  ＲＳ          動作
“０”    “１”  “０”  命令レジスタＩＲへのインデックスの書き込み
“１”    “０”  “０”    設定禁止
“０”    “１”  “１”  コントロールレジスタとＧＲＡＭへの書き込み
“１”    “０”  “１”  コントロールレジスタとＧＲＡＭからの読み出し
また、クロック同期シリアルインターフェースの時に、信号ＷＲ／ＳＣＬ、ＲＳの“０”レベルと“１”レベルとの組み合わせにより、下記の動作が可能となる。
【００７２】
ＷＲ／ＳＣＬ  ＲＳ            動作
“０”    “０”      命令レジスタＩＲへのインデックスの書き込み
“１”    “０”      設定禁止
“０”    “１”      コントロールレジスタとＧＲＡＭへの書き込み
“１”    “１”      コントロールレジスタとＧＲＡＭからの読み出し
モバイルディスプレーディジタルインターフェース（ＭＤＤＩ）である第２インターフェース２１１２には、ＭＤＤＩ規格に準拠する差動小振幅の相補データ信号Ｍ＿Ｄａｔａ＿Ｐ、Ｍ＿Ｄａｔａ＿Ｎと相補ストローブ信号Ｍ＿Ｓｔｂ＿Ｐ、Ｍ＿Ｓｔｂ＿Ｎとが供給される。最初に、第１インターフェース２１１１の４ビットのインターフェースモード信号ＩＭ３〜ＩＭ０に“００１１”のモード設定信号が供給されることにより、システムインターフェース２１１にＭＤＤＩインターフェースのモードが定義される。その後、ＭＤＤＩである第２インターフェース２１１２の相補データ信号Ｍ＿Ｄａｔａ＿Ｐ、Ｍ＿Ｄａｔａ＿Ｎの入力端子にＭＤＤＩ規格に準拠する低振幅の表示データが供給され、相補ストローブ信号Ｍ＿Ｓｔｂ＿Ｐ、Ｍ＿Ｓｔｂ＿Ｎの入力端子にもＭＤＤＩ規格に準拠する低振幅の相補ストローブ信号が供給される。このＭＤＤＩである第２インターフェース２１１２を介して表示データが供給される動作モードにおいても、外部からの命令はシステムインターフェース２１１の第１インターフェース２１１１に供給される。従って、第１インターフェース２１１１に外部から供給される命令はＭＤＤＩ規格に準拠する低振幅よりも大きな通常振幅を持っているので、ＭＤＤＩインターフェースでも表示駆動動作制御の動作信頼性を向上することができる。すなわち、図７に示した種々の命令の全ては、外部からシステムインターフェース２１１の第１インターフェース２１１１に供給される。
【００７３】
≪ドライバＬＳＩの表示制御部２１２≫
図２に示すように、ドライバＬＳＩ２１０の表示制御部２１２は、外部からの命令を格納する命令レジスタ（ＩＲ）２１２１と、命令に関係する制御情報を格納するコントロールレジスタ（ＣＲ）２１２２とを含んでいる。外部からの種々の命令は、インデックスで区別されるので、命令レジスタ（ＩＲ）２１２１はインデックスレジスタとも呼ばれる。外部からの種々の命令によるＧＲＡＭ２１３の種々のアクセス制御情報は、コントロールレジスタ（ＣＲ）２１２２に格納される。コントロールレジスタ（ＣＲ）２１２２には、アドレスカウンタ（ＡＣ）２１２３が接続されている。命令レジスタ（ＩＲ）２１２１にアドレス設定の命令Ｒ２１０ｈ〜Ｒ２１３ｈを書き込むと、ＩＲ（２１２１）からＡＣ（２１２３）へアドレス情報が転送される。ＧＲＡＭ２１３へのデータの書き込みの後、アドレスカウンタ（ＡＣ）２１２３のアドレス値は自動的に＋１インクリメント更新される。
【００７４】
システムインターフェース２１１の第１インターフェース２１１１と第２インターフェース２１１２とには１８ビットのデータバスが接続され、このデータバスにはカラー信号回路（ＲＧＢ）２１２５が接続されている。また、このデータバスには、カメラ画像用ＹＵＶデータフォーマットをＲＧＢデータフォーマットに変換するフォーマット変換器２１２４も接続されている。カラー信号回路（ＲＧＢ）２１２５からのＲＧＢの３色に関連する表示データは、ライトデータレジスタ（ＷＤＲ）２１２６に一時記憶された後、ＧＲＡＭ２１３に格納される。リードデータレジスタ（ＲＤＲ）２１２７は、ＧＲＡＭ２１３からの表示データの読み出しの際の一時記憶に使用される。
【００７５】
タイミング発生器（ＴＧＣ）２１２８は、クロックパルス発生器（ＣＰＧ）からのクロックパルスに基づいて、ＧＲＡＭ２１３等の表示制御部２１２の内部回路を動作させるためのタイミング信号を発生する。その結果、タイミング発生器（ＴＧＣ）２１２８により、表示のためのＧＲＡＭ２１３の読み出しタイミングと外部のアプリケーションプロセッサ５１０からのアクセスによる内部動作タイミングとの調整が行われる。
【００７６】
γ調整回路（γＣＣ）２１２９は、液晶パネル（ＬＣＰ）２２０のＲ表示液晶画素、Ｇ表示液晶画素、Ｂ表示液晶画素の特性に対応するように、ＲＧＢ独立γ調整機能を有している。
【００７７】
≪ドライバＬＳＩのＧＲＡＭ２１３≫
図２に示すように、ドライバＬＳＩ２１０のグラフィックＲＡＭ（ＧＲＡＭ）２１３は、一画素当り１８ビットのデータを格納する。ＧＲＡＭ２１３は、全体で３８８，８００バイトのビットパターンデータを格納することができ、最大で４８０×ＲＧＢ×３６０の画面を表示することができる。
【００７８】
≪ドライバＬＳＩの表示駆動部２１４≫
図２に示すように、ドライバＬＳＩ２１０の表示駆動部２１４は、外部からの表示データをＧＲＡＭ２１３に書き込み、ＧＲＡＭ２１３に格納された表示データを表示駆動部２１４に供給する。それにより、表示駆動部２１４は、外部表示装置２２０としての液晶パネルＬＣＰの水平方向と垂直方向とに配列された複数の画素を駆動するものである。表示駆動部２１４は、ソースドライバー（ＳＤＣ）２１４１と、階調電圧発生回路（ＧＳＧ）２１４２と、パネルインターフェース回路（ＰＩＣ）２１４３とを含んでいる。
【００７９】
液晶パネル（ＬＣＰ）２２０の水平方向の２４０本のソース線Ｓ１、Ｓ２、Ｓ３…Ｓ２４０を、ソースドライバー（ＳＤＣ）２１４１の出力が駆動する。液晶パネル（ＬＣＰ）２２０の垂直方向の１８本のパネルインターフェース線（ゲート線）Ｓｏｕｔ１、Ｓｏｕｔ２、Ｓｏｕｔ３…Ｓｏｕｔ１８を、パネルインターフェース回路（ＰＩＣ）２１４３の出力が駆動する。階調電圧発生回路（ＧＳＧ）２１４２は、表示制御部２１２のγ調整回路（γＣＣ）２１２９により独立γ調整されたＲＧＢソース駆動信号をソース線Ｓ１、Ｓ２、Ｓ３…Ｓ２４０に供給する。  
【００８０】
≪非拡大のノーマル動作モード≫
図３は、図２のドライバＬＳＩ２１０が非拡大のノーマルレシオのノーマル動作モードに従って液晶パネル（ＬＣＰ）２２０の複数の画素を駆動する時の表示駆動部２１４のソースドライバ（ＳＤＣ）２１４１の内部の様子を示す図である。
【００８１】
同図に示すように、図２のドライバＬＳＩ２１０の表示駆動部２１４のソースドライバ（ＳＤＣ）２１４１は、６入力１出力のマルチプレクサ２１４１Ａと、ディジタル／アナログ変換器（ＤＡＣ）２１４１Ｂとから構成されている。グラフィックＲＡＭ（ＧＲＡＭ）２１３とマルチプレクサ２１４１Ａの６入力との間には６個の入力ラッチが配置され、６個の入力ラッチにはＧＲＡＭ２１３から読み出されマルチプレクサ２１４１Ａに供給される表示データが格納されることができる。マルチプレクサ２１４１Ａにより選択された表示データは、ＤＡＣ２１４１Ｂにより６４階調アナログ表示信号に変換されることができる。ＤＡＣ２１４１Ｂの出力からの６４階調アナログ表示信号は、液晶パネル（ＬＣＰ）２２０の水平方向の２４０本のソース線Ｓ１、Ｓ２、Ｓ３…Ｓ２４０に接続される。液晶パネル（ＬＣＰ）２２０の各ソース線には１入力６出力のデマルチプレクサ２１４１Ｃの入力が接続される。デマルチプレクサ２１４１Ｃの６出力は、６個の画素に接続されることができる。
【００８２】
図４は、図２のドライバＬＳＩ２１０が非拡大のノーマルレシオに従って液晶パネル（ＬＣＰ）２２０の複数の画素を駆動する時の表示制御部２１２と表示駆動部２１４とによるＧＲＡＭ２１３の内部の矩形のウインドウ・アドレス範囲Ｗｉｎのアクセス設定の様子を示す図である。図４（ａ）に示したＧＲＡＭ２１３の内部の矩形のウインドウ・アドレス範囲Ｗｉｎの水平開始アドレスＨＳＡと水平終了アドレスＨＥＡとの間に書き込まれている表示データは、Ｒ１、Ｒ２、Ｇ１、Ｇ２、Ｂ１、Ｂ２となっている。また、図４（ｂ）に示した液晶パネル（ＬＣＰ）２２０の水平方向のソース線Ｓ１、Ｓ２、Ｓ３、Ｓ４、Ｓ５、Ｓ６…に供給される表示データも、Ｒ１、Ｒ２、Ｇ１、Ｇ２、Ｂ１、Ｂ２となっている。このように、ＧＲＡＭ２１３のウインドウ・アドレス範囲Ｗｉｎの水平方向の表示データＲ１、Ｒ２…と液晶パネル（ＬＣＰ）２２０の水平方向のソース線の表示データＲ１、Ｒ２…とは１対１に対応している。
【００８３】
図９は、ドライバＬＳＩ２１０が非拡大のノーマルレシオのノーマル動作モードへ設定される様子を示す図である。すなわち、ドライバＬＳＩ２１０が非拡大のノーマルレシオのノーマル動作モードへの設定は、図９に示すようにスタートの後、リサイズ命令（インデックスＲ００５ｈ）を供給することなく、一連のＲＡＭアドレスセット命令９０１を供給することにより可能となる。一連のＲＡＭアドレスセット命令９０１は、水平方向ＲＡＭアドレスセット命令、垂直方向ＲＡＭアドレスセット命令、ＲＡＭ水平方向開始アドレスセット命令、ＲＡＭ水平方向終了アドレスセット命令、ＲＡＭ垂直方向開始アドレスセット命令、ＲＡＭ垂直方向終了アドレスセット命令を含む。水平方向ＲＡＭアドレスセット命令はインデックスＲ２００ｈにより、垂直方向ＲＡＭアドレスセット命令はインデックスＲ２０１ｈにより指定される。ＲＡＭ水平方向開始アドレスセット命令はインデックスＲ２１０ｈにより、ＲＡＭ水平方向終了アドレスセット命令はインデックスＲ２１１ｈにより指定される。ＲＡＭ垂直方向開始アドレスセット命令はインデックスＲ２１２ｈにより、ＲＡＭ垂直方向終了アドレスセット命令はインデックスＲ２１３ｈにより指定される。これらの命令に関係する動作情報は、表示制御部２１２の命令レジスタ２１２１からコントロールレジスタ２１２２に供給される。従って、この状況では、ドライバＬＳＩ２１０の表示制御部２１２は、アプリケーションプロセッサ（ＡＰ）５１０から非拡大のノーマルレシオのノーマル動作モードが指示されていると解釈する。
【００８４】
その後、ＧＲＡＭ２１３のライト命令９０２（インデックスＲ２０２ｈ）を供給することにより、ＧＲＡＭ２１３のウインドウ・アドレス範囲Ｗｉｎに表示データを書き込む。また、ステップ９０３で、ベース画面表示先頭ライン制御命令（インデックスＲ４０２ｈ）とベース画面表示終了ライン制御命令（インデックスＲ４０４ｈ）とを供給する。ベース画面表示先頭ライン制御命令（インデックスＲ４０２ｈ）により、ＧＲＡＭ２１３のアクセスによる液晶パネル（ＬＣＰ）２２０の１枚のベース画面を表示するためのベース画面表示先頭ラインアドレスＢＳＡが設定される。ベース画面表示終了ライン制御命令（インデックスＲ４０４ｈ）により、ＧＲＡＭ２１３のアクセスによる液晶パネル（ＬＣＰ）２２０の１枚のベース画面を表示するためのベース画面表示終了ラインアドレスＢＳＥが設定される。まず、ＧＲＡＭ２１３のウインドウ・アドレス範囲Ｗｉｎから表示データが読み出される。ベース画面表示先頭ライン制御命令とベース画面表示終了ライン制御命令とにより、ベース画面表示の先頭ラインアドレスＢＳＡと終了ラインアドレスＢＳＥとで設定される液晶パネル（ＬＣＰ）２２０の１枚の非拡大のベース画面の表示データが表示される。
【００８５】
この非拡大のノーマル動作モードでは、特定の命令であるところのリサイズ命令（インデックスＲ００５ｈ）は供給されていない。従って、リサイズ命令（インデックスＲ００５ｈ）に関係した水平スケールレシオＲＳＥＨと垂直スケールレシオＲＳＥＶも供給されていない。その結果、ＧＲＡＭ２１３のアクセスにより液晶パネル（ＬＣＰ）２２０の１枚のベース画面を表示する際に、水平スケールレシオＲＳＥＨと垂直スケールレシオＲＳＥＶとは、表示制御部２１２のコントロールレジスタ２１２２に格納されることはない。リサイズ命令（インデックスＲ００５ｈ）による水平スケールレシオＲＳＥＨと垂直スケールレシオＲＳＥＶとをコントロールレジスタ２１２２に格納することなしにＧＲＡＭ２１３から読み出して１枚のベース画面を表示する際に表示データを水平と垂直の両方方向に拡大することは不可能とされている。従って、非拡大のノーマル動作モードでは、ＧＲＡＭ２１３の書き込み表示データと読み出し表示データとが１対１に対応する非拡大のノーマルレシオのノーマル動作モードによる１枚のベース画面の表示が行われる。
【００８６】
≪拡大のリサイズ動作モード≫
図５は、図２のドライバＬＳＩ２１０が拡大のリサイズレシオのリサイズ動作モードに従って液晶パネル（ＬＣＰ）２２０の複数の画素を駆動する時の表示駆動部２１４のソースドライバ（ＳＤＣ）２１４１の内部の様子を示す図である。
【００８７】
図５に示すように、図３のノーマル動作モード時にマルチプレクサ２１４１Ａで表示データＲ２を選択するタイミングにおいて、リサイズ動作モード時には図５の上から２番目に示すようにマルチプレクサ２１４１Ａで表示データＲ１を選択する。この制御によりリサイズした表示データをソース線に供給することができる。このとき、液晶パネル（ＬＣＰ）２２０のデマルチプレクサ２１４１Ｃの制御は図３のノーマル動作モードと同じである。表示データＧ１、表示データＢ１も同様な動作となる。
【００８８】
図６は、図２のドライバＬＳＩ２１０が拡大のリサイズレシオに従って液晶パネル（ＬＣＰ）２２０の複数の画素を駆動する時の表示制御部２１２と表示駆動部２１４とによるＧＲＡＭ２１３の内部の矩形のウインドウ・アドレス範囲Ｗｉｎのアクセス設定の様子を示す図である。図６（ａ）に示したＧＲＡＭ２１３の内部の矩形のウインドウ・アドレス範囲Ｗｉｎの水平開始アドレスＨＳＡと水平終了アドレスＨＥＡとの間に書き込まれている表示データは、Ｒ１、Ｒ２、Ｇ１、Ｇ２となっている。しかし、図６（ｂ）に示した液晶パネル（ＬＣＰ）２２０の水平方向のソース線Ｓ１、Ｓ２、Ｓ３、Ｓ４、Ｓ５、Ｓ６…に供給される表示データは、Ｒ１、Ｒ１、Ｒ２、Ｒ２、Ｇ１、Ｇ１、Ｇ２、Ｇ２となっている。このように、ＧＲＡＭ２１３のウインドウ・アドレス範囲Ｗｉｎの水平方向の表示データＲ１、Ｒ２…と液晶パネル（ＬＣＰ）２２０の水平方向のソース線の表示データＲ１、Ｒ１、Ｒ２、Ｒ２…とは、１対２に対応している。また、図６（ｂ）に示した液晶パネル（ＬＣＰ）２２０の２本のパネルインターフェース線（ゲート線）Ｓｏｕｔ１、Ｓｏｕｔ２の表示データは、互いに等しくなっている。このように、ＧＲＡＭ２１３のウインドウ・アドレス範囲Ｗｉｎの垂直方向の表示データＲ１…と液晶パネル（ＬＣＰ）２２０の垂直方向の２本のパネルインターフェース線（ゲート線）Ｓｏｕｔ１、Ｓｏｕｔ２の表示データＲ１、Ｒ１…とは、１対２に対応している。
【００８９】
図８は、ドライバＬＳＩ２１０が拡大のリサイズレシオのリサイズ動作モードへ設定される様子を示す図である。すなわち、ドライバＬＳＩ２１０が拡大のリサイズレシオのリサイズ動作モードへの設定は、図８示すようにスタートの後、リサイズ命令８００（インデックスＲ００５ｈ）を供給した後、一連のＲＡＭアドレスセット命令８０１を供給することにより可能となる。一連のＲＡＭアドレスセット命令８０１は、水平方向ＲＡＭアドレスセット命令、垂直方向ＲＡＭアドレスセット命令、ＲＡＭ水平方向開始アドレスセット命令、ＲＡＭ水平方向終了アドレスセット命令、ＲＡＭ垂直方向開始アドレスセット命令、ＲＡＭ垂直方向終了アドレスセット命令を含む。水平方向ＲＡＭアドレスセット命令はインデックスＲ２００ｈにより、垂直方向ＲＡＭアドレスセット命令はインデックスＲ２０１ｈにより指定される。ＲＡＭ水平方向開始アドレスセット命令はインデックスＲ２１０ｈにより、ＲＡＭ水平方向終了アドレスセット命令はインデックスＲ２１１ｈにより指定される。ＲＡＭ垂直方向開始アドレスセット命令はインデックスＲ２１２ｈにより、ＲＡＭ垂直方向終了アドレスセット命令はインデックスＲ２１３ｈにより指定される。これらの命令に関係する動作情報は、表示制御部２１２の命令レジスタ２１２１からコントロールレジスタ２１２２に供給される。従って、この状況では、ドライバＬＳＩ２１０の表示制御部２１２は、アプリケーションプロセッサ（ＡＰ）５１０から拡大のリサイズレシオのリサイズ動作モードが指示されていると解釈する。
【００９０】
その後、ＧＲＡＭ２１３のライト命令８０２（インデックスＲ２０２ｈ）を供給することにより、ＧＲＡＭ２１３のウインドウ・アドレス範囲Ｗｉｎに表示データを書き込む。また、ステップ８０３で、ベース画面表示先頭ライン制御命令（インデックスＲ４０２ｈ）とベース画面表示終了ライン制御命令（インデックスＲ４０４ｈ）とを供給する。ベース画面表示先頭ライン制御命令（インデックスＲ４０２ｈ）により、ＧＲＡＭ２１３のアクセスによる液晶パネル（ＬＣＰ）２２０の１枚のベース画面を表示するためのベース画面表示先頭ラインアドレスＢＳＡが設定される。ベース画面表示終了ライン制御命令（インデックスＲ４０４ｈ）により、ＧＲＡＭ２１３のアクセスによる液晶パネル（ＬＣＰ）２２０の１枚のベース画面を表示するためのベース画面表示終了ラインアドレスＢＳＥが設定される。まず、ＧＲＡＭ２１３のウインドウ・アドレス範囲Ｗｉｎから表示データが読み出される。ベース画面表示先頭ライン制御命令とベース画面表示終了ライン制御命令とにより、ベース画面表示の先頭ラインアドレスＢＳＡと終了ラインアドレスＢＳＥとで設定される液晶パネル（ＬＣＰ）２２０の１枚の拡大のベース画面の表示データが表示される。
【００９１】
このように拡大のリサイズレシオのリサイズ動作モードでは、特定の命令であるところのリサイズ命令（インデックスＲ００５ｈ）がスタートの直後に供給されている。従って、リサイズ命令（インデックスＲ００５ｈ）に関係した水平スケールレシオＲＳＥＨと垂直スケールレシオＲＳＥＶも、供給されることになる。その結果、ＧＲＡＭ２１３のアクセスにより液晶パネル（ＬＣＰ）２２０の１枚のベース画面を表示する際に、水平スケールレシオＲＳＥＨと垂直スケールレシオＲＳＥＶとが、表示制御部２１２のコントロールレジスタ２１２２に格納される。リサイズ命令（インデックスＲ００５ｈ）による水平スケールレシオＲＳＥＨと垂直スケールレシオＲＳＥＶとがコントロールレジスタ２１２２に格納され、ＧＲＡＭ２１３から読み出して１枚のベース画面を表示する際に表示データを水平と垂直の両方方向に拡大することが可能とされる。従って、拡大のリサイズレシオのリサイズ動作モードでは、ＧＲＡＭ２１３の書き込み表示データと読み出し表示データとが１対２に対応する拡大のリサイズレシオのリサイズ動作モードによる１枚のベース画面の表示が行われる。
【００９２】
以上本発明者によってなされた発明を実施形態に基づいて具体的に説明したが、本発明はそれに限定されるものではなく、その要旨を逸脱しない範囲において種々変更可能であることは言うまでもない。
【００９３】
例えば、本発明の画像表示制御駆動装置は、ＴＦＴカラー液晶だけでなく有機ＥＬ（エレクトロルミネッセンス）等のアクティブマトリックス型の表示装置にも適用することができる。
【図面の簡単な説明】
【００９４】
【図１】図１は、本発明の一つの実施形態による画像表示制御駆動装置が搭載されたモバイル端末装置の全体構成を示す図である。
【図２】図２は、本発明の１つの実施の形態による画像表示制御駆動装置を示すブロック図である。
【図３】図３は、図２のドライバＬＳＩが非拡大のノーマルレシオのノーマル動作モードに従って液晶パネルの複数の画素を駆動する時の表示駆動部のソースドライバの内部の様子を示す図である。
【図４】図４は、図２のドライバＬＳＩが非拡大のノーマルレシオに従って液晶パネルの複数の画素を駆動する時の表示制御部と表示駆動部とによるＧＲＡＭの内部の矩形のウインドウ・アドレス範囲のアクセス設定の様子を示す図である。
【図５】図５は、図２のドライバＬＳＩが拡大のリサイズレシオのリサイズ動作モードに従って液晶パネルの複数の画素を駆動する時の表示駆動部２１４のソースドライバの内部の様子を示す図である。
【図６】図６は、図２のドライバＬＳＩが拡大のリサイズレシオに従って液晶パネルの複数の画素を駆動する時の表示制御部と表示駆動部とによるＧＲＡＭの内部の矩形のウインドウ・アドレス範囲のアクセス設定の様子を示す図である。
【図７】図７は、アプリケーションプロセッサからドライバＬＳＩに供給される種々の命令を示す図である。
【図８】図８は、ドライバＬＳＩが拡大のリサイズレシオのリサイズ動作モードへ設定される様子を示す図である。
【図９】図９は、ドライバＬＳＩが非拡大のノーマルレシオのノーマル動作モードへ設定される様子を示す図である。
【符号の説明】
【００９５】
１００  アンテナ（ＡＮＴ）
２００  フロントエンドモジュール（ＦＥＭ）
２０１  アンテナスイッチ（ＡＮＴ＿ＳＷ）
２０２  受信フィルタ（ＳＡＷ）
２０３  送信用ＲＦ電力増幅器（ＲＦ＿ＰＡ）
３００  ＲＦアナログ信号処理集積回路（ＲＦ＿ＩＣ）
３０１  ＲＦ受信信号アナログ信号処理サブユニット（ＲＸ＿ＳＰＵ）
３０２  ＲＦ送信信号アナログ信号処理サブユニット（ＴＸ  ＳＰＵ）
３０３  アナログベースバンド受信信号Ｉ用Ａ／Ｄ変換器（Ｉ＿ＡＤＣ）
３０４  アナログベースバンド受信信号Ｑ用Ａ／Ｄ変換器（Ｑ＿ＡＤＣ）
３０５  マルチプレクサー
３０６  ディジタルベースバンド変調器（Ｄｉｇ＿ＭＯＤ）
３０７  ディジタルベースバンド送信信号Ｉ用Ｄ／Ａ変換器（Ｉ＿ＤＡＣ）
３０８  ディジタルベースバンド送信信号Ｑ用Ｄ／Ａ変換器（Ｑ＿ＤＡＣ）
３０９  ランプ信号Ｄ／Ａ変換器（Ｒａｍｐ  ＤＡＣ）
４００  ベースバンド信号処理ＬＳＩ
５０２  Ｄ／Ａ変換器（ＤＡＣ）
５０３  スピーカー（ＳＰ）
５０４  マイク（ＭＩＣ）
５０５  Ａ／Ｄ変換器（ＡＤＣ）
５０６第１外部バス（Ｂｕｓ＿１）
５０７  第１外部メモリ（ＭＥＭ＿１）
５１０  アプリケーションプロセッサ（ＡＰ）
５１１  第２外部バス（Ｂｕｓ＿２）
５１２  第２外部メモリ（ＭＥＭ＿２）
５１３  液晶表示装置（ＬＣＤ）
５１４  操作キー入力装置（ＩＮＰＤ）
２１０  画像表示制御駆動装置
２１１  システムインターフェース
２１１１  第１インターフェース
２１１２  第２インターフェース
２１２  表示制御部
２１２１  命令レジスタ
２１２２  コントロールレジスタ
２１２３  アドレスカウンタ（ＡＣ）
２１２４  フォーマット変換器
２１２５  カラー信号回路（ＲＧＢ）
２１２６  ライトデータレジスタ（ＷＤＲ）
２１２７  リードデータレジスタ（ＲＤＲ）
２１２８  タイミング発生器（ＴＧＣ）
２１２９  γ調整回路（γＣＣ）
２１３  グラフィックＲＡＭ（ＧＲＡＭ）
２１４  表示駆動部
２１４１  ソースドライバー（ＳＤＣ）
２１４２  階調電圧発生回路（ＧＳＧ）
２１４３  パネルインターフェース回路（ＰＩＣ）
２２０  液晶パネル（ＬＣＰ）
Ｓ１、Ｓ２…ソース線
Ｓｏｕｔ１、Ｓｏｕｔ２…パネルインターフェース線（ゲート線）
【図１】
2008185774.tif 000003
【図２】
2008185774.tif 000004
【図３】
2008185774.tif 000005
【図４】
2008185774.tif 000006
【図５】
2008185774.tif 000007
【図６】
2008185774.tif 000008
【図７】
2008185774.tif 000009
【図８】
2008185774.tif 000010
【図９】
2008185774.tif 000011